(57)【要約】【課題】パワーコンディショナを用いることなく、ソーラーパネルによって発電した電気をユーザが自由に使用することのできる電源システム搭載型空気調和装置を提供することを目的とする。【解決手段】電源システム搭載型空気調和装置１は、圧縮機２２、蒸発器、膨張弁、及び凝縮器が接続された冷凍サイクルと、圧縮機２２を駆動するインバータとを備えた空気調和装置と、コンセント３と、インバータへ直流電流を供給するソーラーパネル２と、インバータによって変換された交流電流が入力され、交流電流を圧縮機２２及びコンセント３のいずれか一方へ供給する切替部と、圧縮機２２が停止中の場合には、交流電流をコンセント３へ供給するよう切替部を制御する切替制御部とを備える。【選択図】図１
2019124372.tif 000002
【特許請求の範囲】
【請求項１】
圧縮機、蒸発器、膨張弁、及び凝縮器が接続された冷凍サイクルと、前記圧縮機を駆動するインバータとを備えた空気調和装置と、
コンセントと、
前記インバータへ直流電流を供給するソーラーパネルと、
前記インバータによって変換された交流電流が入力され、前記交流電流を前記圧縮機及び前記コンセントのいずれか一方へ供給する切替部と、
前記圧縮機が停止中の場合には、前記交流電流を前記コンセントへ供給するよう前記切替部を制御する切替制御部と、
を備える電源システム搭載型空気調和装置。
【請求項２】
前記切替部の切替状態に応じて、前記インバータから出力される交流電圧の周波数及び実効値を変化させるインバータ制御部を備える請求項１に記載の電源システム搭載型空気調和装置。
【請求項３】
前記空気調和装置は、室内機と室外機を有しており、
前記ソーラーパネルは、前記室外機の上面及び側面の少なくともいずれか一方に設けられている請求項１または２に記載の電源システム搭載型空気調和装置。
【発明の詳細な説明】
【技術分野】
【０００１】
本発明は、電源システム搭載型空気調和装置に関するものである。
【背景技術】
【０００２】
家庭用に設置されている太陽光発電システムは、一般的に、ソーラーパネルとパワーコンディショナにより構成されている。ソーラーパネルによって発電した電圧は直流であるため、パワーコンディショナによって交流電圧（例えば、１００Ｖ、５０Ｈｚ）へ変換することで、家庭で使用できるようにしている。しかしながら、パワーコンディショナは、非常に高価な装置であるため、ユーザにとって導入時の負担は大きい。
【０００３】
特許文献１では、室内機及び室外機により構成されている空気調和装置において、室外機に設けられた圧縮機を駆動するインバータ装置へ、平滑した商用電源及びソーラーパネルにより発電した電力のいずれか一方を入力することで、ソーラーパネルによっても圧縮機を駆動して省エネを達成することが開示されている。
【先行技術文献】
【特許文献】
【０００４】
【特許文献１】特開２００５−１５６０７２号公報
【発明の概要】
【発明が解決しようとする課題】
【０００５】
しかしながら、特許文献１に開示された方法において、ソーラーパネルによって発電した電気は、空気調和装置の圧縮機にしか供給されていない。このため、圧縮機を使用していない場合であっても、ソーラーパネルによって発電した電気をユーザが自由に使用することは不可能であった。
【０００６】
本発明は、このような事情に鑑みてなされたものであって、パワーコンディショナを用いることなくソーラーパネルによって発電した電気をユーザが自由に使用することのできる電源システム搭載型空気調和装置を提供することを目的とする。
【課題を解決するための手段】
【０００７】
本発明の第１態様は、圧縮機、蒸発器、膨張弁、及び凝縮器が接続された冷凍サイクルと、前記圧縮機を駆動するインバータとを備えた空気調和装置と、コンセントと、前記インバータへ直流電流を供給するソーラーパネルと、前記インバータによって変換された交流電流が入力され、前記交流電流を前記圧縮機及び前記コンセントのいずれか一方へ供給する切替部と、前記圧縮機が停止中の場合には、前記交流電流を前記コンセントへ供給するよう前記切替部を制御する切替制御部と、を備える電源システム搭載型空気調和装置である。
【０００８】
上記のような構成によれば、ソーラーパネルで発電した直流電流を、空気調和装置の備えるインバータを介して交流電流へ変換し、該交流電流をコンセントへ供給することができる。このため、例えば、パワーコンディショナといった非常に高価な装置を用いることなく、ソーラーパネルによって発電した直流電流を交流電流へ変換することが可能となる。また、ソーラーパネルによって発電が可能な状態であれば、いつでもコンセントから電力を得ることができるため、例えば災害時等にも非常用電源として使用することができる。
【０００９】
上記電源システム搭載型空気調和装置において、前記切替部の切替状態に応じて、前記インバータから出力される交流電圧の周波数及び実効値を変化させるインバータ制御部を備えるとしてもよい。
【００１０】
上記のような構成によれば、インバータから、切替部の切替状態に応じて適切な交流電流を出力することができるため、圧縮機またはコンセントへ接続される機器をより確実に保護することができる。
【００１１】
上記電源システム搭載型空気調和装置において、前記空気調和装置は、室内機と室外機を有しており、前記ソーラーパネルは、前記室外機の上面及び側面の少なくともいずれか一方に設けられていることとしてもよい。
【００１２】
上記のような構成によれば、ソーラーパネルを室外機に設けることとしたため、ソーラーパネルの取り付け作業を、例えば室外機の製造段階等で行うことが可能となる。このため、装置全体の製造及び設置を簡便にすることができる。また、ソーラーパネルとインバータまでの配線距離を短くすることができるため、電力の損失を抑制することが可能である。
【発明の効果】
【００１３】
本発明によれば、パワーコンディショナを用いることなくソーラーパネルによって発電した電気をユーザが自由に使用することができるという効果を奏する。
【図面の簡単な説明】
【００１４】
【図１】本発明の一実施形態に係る電源システム搭載型空気調和装置の概略構成を示す図である。
【図２】本発明の一実施形態に係る電源システム搭載型空気調和装置における冷凍サイクルの概略構成を示す図である。
【図３】本発明の一実施形態に係る電源システム搭載型空気調和装置における電力供給系統の概略構成を示す図である。
【図４】本発明の一実施形態に係る電源システム搭載型空気調和装置における制御装置の機能を示した機能ブロック図である。
【図５】本発明の一実施形態に係る電源システム搭載型空気調和装置による電力供給フローを示した図である。
【図６】本発明の一実施形態に係る電源システム搭載型空気調和装置による電力供給フローを示した図である。
【図７】本発明の一実施形態に係る電源システム搭載型空気調和装置によるモード決定のフローチャートを示した図である。
【発明を実施するための形態】
【００１５】
以下に、本発明に係る電源システム搭載型空気調和装置の一実施形態について、図面を参照して説明する。
図１は、本発明の一実施形態に係る電源システム搭載型空気調和装置１の概略構成を示す図である。図１に示すように、本実施形態に係る電源システム搭載型空気調和装置１は、空気調和装置（室内機７と室外機８から構成される）と、ソーラーパネル２と、コンセント３と、制御装置５とを主な構成として備えている。また、電源システム搭載型空気調和装置１は、電力供給系統６を備えている。なお、ユーザはリモコン９等を用いて空気調和装置の動作／停止を制御できるものとする。また、本実施形態における空気調和装置は、家庭等に設置される室内機７及び室外機８から構成される場合を例示して説明するが、業務用の空気調和装置や、室内機７と室外機８とが一体化した空気調和装置についても同様に適用可能である。また、本実施形態では、空気調和装置が冷房運転する場合について例示して説明するが、暖房運転を行う場合であっても同様に適用可能である。
【００１６】
空気調和装置は、圧縮機２２、凝縮器２３、膨張弁２４、及び蒸発器２５が接続された冷凍サイクル２１と、圧縮機２２を駆動するコンバータ３１及びインバータ３２とを備えている。図２に、冷凍サイクル２１の一例を示す。冷凍サイクル２１には冷媒が充填されており、冷媒の圧縮及び膨張を制御することによって、熱エネルギーを移動させることが可能である。具体的には、冷媒は、圧縮機２２によって圧縮されることによって高温高圧状態となり、凝縮器２３へ供給される。そして、凝縮器２３において、冷媒から外気へ熱が移動することによって冷媒は凝縮する。そして、凝縮した冷媒は膨張弁２４によって膨張し、蒸発器２５へ供給される。そして、蒸発器２５において、外気から冷媒へ熱が移動することによって冷媒は蒸発する。そして、蒸発した冷媒は圧縮機２２へ供給され、上記のサイクルを繰り返す。つまり、冷凍サイクル２１では、蒸発器２５側における外気の熱エネルギーを、凝縮器２３側における外気へ移動させている。なお、本実施形態では、空気調和装置は室内機７と室外機８とから構成されているものとする。室内機７は蒸発器２５を備え、室外機８が圧縮機２２、膨張弁２４、及び凝縮器２３を備えるものとする。つまり、本実施形態に係る空気調和装置では、室内に設けられた室内機７によって、室内の空気の熱エネルギーを冷凍サイクル２１を流れる冷媒に移動させ、室外に設けられた室外機８によって、冷媒から外気へ熱エネルギーを移動させている。このため、室内の空気を冷却（冷房運転）することができる。
【００１７】
ソーラーパネル２（太陽電池パネル）では、光電効果を用いて太陽光のエネルギーを電気エネルギーへ変換し、発電した直流電流を、後述する電力供給系統６のインバータ３２へ供給する。具体的には、発電された直流電流は、昇圧部３３を介してインバータ３２へ供給される。また、ソーラーパネル２は、室外機８の上面及び側面の少なくともいずれか一方に設けられている。本実施形態では、ソーラーパネル２は室外機８の上面に設けられているものとする。なお、ソーラーパネル２を室外機８の上面及び側面の少なくともいずれか一方に設けることで、製造及び設置を簡便にすることができるが、ソーラーパネル２と室外機８は個別に配置されてもよい。
【００１８】
コンセント３は、ソーラーパネル２によって発電した電気をユーザが自由に使用するために、例えば、室内機７に付随して設けられている。具体的には、コンセント３には、空気調和装置が停止中（圧縮機２２が停止中）の場合に、ソーラーパネル２によって発電した電気が供給される。このため、ユーザは、空気調和装置を使用していないときには、ソーラーパネル２によって発電した電気をコンセント３を介して自由に使用することができる。空気調和装置を使用していないときとは、ユーザが意図的に空気調和装置を使用していない場合だけでなく、停電等によって空気調和装置が使用できない場合も含まれる。
【００１９】
なお、コンセント３には、インバータ３２より商用電源と同じ交流電圧（１００Ｖ、５０Ｈｚ）が供給されるため、ユーザはコンセント３から自由に電気を使用することができる。コンセント３の配置位置については、例えば、室外機８側に設けられてもよいし、適宜設計可能である。しかし、コンセント３が室内機７に付随して設けられることで、電力供給系統６からコンセント３への配線は、電路１１（室内機７と室外機８間において商用電源からの電力を供給する電路）と同じ敷設経路を用いることができるため、工事の簡略化等を図ることができる。
【００２０】
電力供給系統６とは、圧縮機２２及びコンセント３へ電力を供給するための電路系統である。図３は、本実施形態に係る電力供給系統６の概略構成を示す図である。図３に示されるように、電力供給系統６は、コンバータ３１と、インバータ３２と、昇圧部３３と、切替部３４とを備えている。電力供給系統６を制御装置５によって制御することによって、電力供給側である商用電源及びソーラーパネル２からの電力を、電力需要側である圧縮機２２及びコンセント３へ適切に供給する。なお、本実施形態では、電力供給系統６は室外機８に設けられるものとする。
【００２１】
コンバータ３１は、商用電源から得た交流電流を直流電流へ変換する。本実施形態では、図１に示されるように、室内機７に設けられたプラグが商用電源と接続されることによって、交流電流が電路１１を介してコンバータ３１へ供給される。商用電源から得た交流電圧を例えば１００Ｖ（実効値）、５０Ｈｚ（周波数）とすると、コンバータ３１では、得た交流電圧を、２８０Ｖの直流電圧へ変換する。変換された直流電圧はインバータ３２へ供給される。
【００２２】
インバータ３２は、コンバータ３１から出力された直流電圧及び昇圧部３３によって昇圧された直流電圧が供給され、所望の電圧値及び周波数の交流電圧に変換して切替部３４へ出力する。なお、インバータ３２は、後述するインバータ制御部４２によって制御され、交流電圧の出力先（圧縮機２２又はコンセント３）に応じて、変換する交流電圧の実効値と周波数を変化させる。なお、交流電圧の実効値と周波数は、交流電圧の出力先（圧縮機２２又はコンセント３）の仕様等に応じて予め設定されている。
【００２３】
なお、本実施形態では、コンバータ３１から出力された直流電圧及び昇圧部３３によって昇圧された直流電圧の両方がインバータ３２へ供給されることとしているが、どちらか一方が供給されることとしてもよい。すなわち、圧縮機２２に電力を供給する場合には、商用電源からの電力のみがインバータ３２へ入力され、コンセント３に電力を供給する場合には、ソーラーパネル２からの電力のみがインバータ３２へ入力されることとしてもよい。
【００２４】
昇圧部３３では、ソーラーパネル２で発電された電圧を昇圧してインバータ３２へ供給する。ソーラーパネル２によって得られる直流電圧は、例えば１０Ｖ程度である。このため、圧縮機２２やコンセント３へ適切な電圧が供給できるように、ソーラーパネル２で発電された１０Ｖ程度の電圧を、例えば２８０Ｖまで昇圧してインバータ３２へ供給する。なお、例えば複数のソーラーパネルを直列に接続する等によってソーラーパネルから高い電圧を直接得ることができる場合には、昇圧部３３は不要である。
【００２５】
切替部３４は、インバータ３２によって変換された交流電流が入力され、入力された交流電流を圧縮機２２及びコンセント３のいずれか一方へ供給する。切替部３４は、後述する切替制御部４３によって制御され、交流電流の出力先を切り替える。具体的には、圧縮機２２が使用中の場合には、インバータ３２から出力された交流電流は切替部３４を介して圧縮機２２へ供給され、圧縮機２２が停止中の場合には、インバータ３２から出力された交流電流は切替部３４を介してコンセント３へ供給される。
【００２６】
制御装置５は、圧縮機２２が運転中か否かに応じて、インバータ３２と切替部３４を制御する。具体的には、圧縮機２２が運転中（以下、「圧縮機モード」という。）の場合には、圧縮機モードとしてインバータ３２を制御し、インバータ３２の出力が圧縮機２２に供給されるように切替部３４を制御する。また、圧縮機２２が停止中（以下、「コンセントモード」という。）の場合には、コンセントモードとしてインバータ３２を制御し、インバータ３２の出力がコンセント３に供給されるように切替部３４を制御する。
【００２７】
制御装置５は、例えば、図示しないＣＰＵ（中央演算装置）、ＲＡＭ（Ｒａｎｄｏｍ  Ａｃｃｅｓｓ  Ｍｅｍｏｒｙ）等のメモリ、及びコンピュータ読み取り可能な記録媒体等を備えている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
【００２８】
図４は、制御装置５が備える機能を示した機能ブロック図である。図４に示されるように、制御装置５は、モード決定部４１、インバータ制御部４２、切替制御部４３を備えている。
【００２９】
モード決定部４１は、圧縮機２２が動作中か否かを判定し、圧縮機モードとコンセントモードのいずれか一方を制御モードとして決定し、インバータ制御部４２と切替制御部４３へ決定した制御モードを出力する。具体的には、モード決定部４１には、空気調和装置全体の制御を行う上位制御装置から出力される圧縮機２２の動作／停止に係る信号が入力される。なお、上位制御装置においては、例えば、ユーザがリモコン９等を用いて行う空気調和装置の動作／停止に係る信号が入力され、該信号に応じて空気調和装置全体を制御するために、空気調和装置を構成する各機器（例えば圧縮機２２や膨張弁２４等）に動作／停止に係る信号を出力する。上位制御装置から出力される圧縮機２２の動作／停止に係る信号とは、上位制御装置が空気調和装置全体を制御するために出力する信号のうち、圧縮機２２の動作／停止に係る信号であり、モード決定部４１に対して出力される信号である。
【００３０】
モード決定部４１は、上位制御装置から圧縮機２２の運転に係る信号（例えば、「１」）が出力されていない場合には、圧縮機２２は動作中ではないと判定し、制御モードとしてコンセントモードを選択する。また、モード決定部４１は、上位制御装置から圧縮機２２の動作に係る信号（例えば、「１」）が出力されている場合には、圧縮機２２は動作中であると判定し、制御モードとして圧縮機モードを選択する。つまり、モード決定部４１では、圧縮機２２の運転に係る信号「１」が入力されるかどうかに基づいて、圧縮機２２が動作中か否かを判定し、圧縮機モードとコンセントモードのいずれか一方を制御モードとして選択する。なお、圧縮機２２が停止の状態とは、ユーザがリモコン９等を用いて空気調和装置を停止させた場合と、商用電源側で停電等が発生し空気調和装置が停止した場合の両方を含む。つまり、モード決定部４１は、ユーザが意図して空気調和装置（特に、圧縮機２２）を止めた場合だけでなく、停電等といったユーザが意図せず空気調和装置（特に、圧縮機２２）が止まってしまった場合でも、圧縮機２２は動作中ではないと判定することができ、制御モードとしてコンセントモードを選択することができる。なお、ユーザがリモコン９等を用いて空気調和装置を停止させ場合と、商用電源側で停電等が発生し空気調和装置が停止した場合とで、モード決定部４１に入力される信号を分けてもよく、停電が検知可能な装置を別途設けてもよい。
【００３１】
インバータ制御部４２は、圧縮機２２が動作中か否かに応じてインバータ３２を制御し、インバータ３２から出力される交流電圧の周波数及び実効値を変化させる。具体的には、インバータ制御部４２には、モード決定部４１により選択された制御モードが入力される。制御モードとは、圧縮機２２が動作中であることを示す圧縮機モードと、圧縮機２２が停止中であることを示すコンセントモードである。つまり、インバータ制御部４２は、インバータ３２により変換された交流電流が、圧縮機２２に供給されるのか、コンセント３に供給されるのかに応じて、交流電圧が適切な電圧及び周波数となるようにインバータ３２を制御する。つまり、インバータ制御部４２は、切替部３４の切替状態に応じて、インバータ３２から出力される交流電圧の周波数及び実効値を変化させることとなる。
【００３２】
例えば、制御モードが圧縮機モードの場合には、インバータ３２により変換される交流電圧の電圧は１０Ｖ以上１５０Ｖ未満であり、周波数は１５Ｈｚ以上１２０Ｈｚ未満に制御される。また、コンセントモードの場合には、インバータ３２により変換される交流電圧は、商用電源と同じ（電圧が１００Ｖであり、周波数が５０Ｈｚ）となるように制御される。このように、交流電圧の供給先（圧縮機２２またはコンセント３）によって適切な交流電圧の電圧値及び周波数が異なることから、インバータ制御部４２は所望の交流電圧が得られるようにインバータ３２を制御する。なお、圧縮機２２に供給される交流電圧の電圧値及び周波数は、圧縮機２２の機種等によって適宜設定され得る。また、コンセント３に供給される交流電圧の電圧値及び周波数は、商用電源が国や地域に応じて異なるため、適切に設定され得る。
【００３３】
切替制御部４３は、圧縮機２２が動作中か否かに応じて切替部３４を制御し、インバータ３２によって変換された交流電流の出力先を切り替える。具体的には、切替制御部４３には、モード決定部４１により決定された制御モードが入力される。そして、切替制御部４３は、制御モードに応じて、インバータ３２により変換された交流電流を圧縮機２２及びコンセント３のいずれか一方に供給する。すなわち、切替制御部４３は、制御モードが圧縮機モードである場合には、インバータ３２により変換された交流電流を圧縮機２２へ供給し、制御モードがコンセントモードである場合には、インバータ３２により変換された交流電流をコンセント３へ供給する。
【００３４】
次に、上述の電源システム搭載型空気調和装置１による電力供給フローについて図５を参照して説明する。なお、図５のフローでは、制御モードは圧縮機モードとする。また、商用電源として交流電圧（１００Ｖ、５０Ｈｚ）、圧縮機２２に必要な電圧として交流電圧（１５０Ｖ、１２０Ｈｚ）の場合を例示して説明する。
【００３５】
商用電源から供給された交流電圧（１００Ｖ、５０Ｈｚ）はコンバータ３１へ供給される。そして、コンバータ３１にて、交流電圧（１００Ｖ、５０Ｈｚ）は直流電圧（２８０Ｖ）へ変換され、インバータ３２へ供給される。
【００３６】
一方で、ソーラーパネル２によって発電された直流電圧（１０Ｖ）は、昇圧部３３へ供給される。そして、昇圧部３３にて、直流電圧（１０Ｖ）は直流電圧（２８０Ｖ）へ昇圧され、インバータ３２へ供給される。
【００３７】
コンバータ３１及び昇圧部３３から出力された直流電圧（２８０Ｖ）は、インバータ３２によって交流電圧（１５０Ｖ、１２０Ｈｚ）へ変換され、切替部３４へ供給される。
【００３８】
インバータ３２から出力された交流電圧（１５０Ｖ、１２０Ｈｚ）は、切替部３４を介して圧縮機２２へ供給される。このように圧縮機２２に電力が供給されることによって、圧縮機２２が駆動される。
【００３９】
次に、上述の電源システム搭載型空気調和装置１による電力供給フローについて図６を参照して説明する。なお、図６のフローでは、制御モードはコンセントモードとする。また、商用電源として交流電圧（１００Ｖ、５０Ｈｚ）、コンセント３へ供給される電圧として交流電圧（１００Ｖ、５０Ｈｚ）の場合を例示して説明する。なお、圧縮機２２が停止中の場合において、コンセント３へはソーラーパネル２によって発電した電気のみが供給されればよいため、コンセントモードの場合には、インバータ３２には商用電源から電力は供給されないものとする。
【００４０】
ソーラーパネル２によって発電された直流電圧（１０Ｖ）は、昇圧部３３へ供給される。そして、昇圧部３３にて、直流電圧（１０Ｖ）は、直流電圧（２８０Ｖ）へ昇圧され、インバータ３２へ供給される。
【００４１】
昇圧部３３から出力された直流電圧（２８０Ｖ）は、インバータ３２によって交流電圧（１００Ｖ、５０Ｈｚ）へ変換され、切替部３４へ供給される。
【００４２】
インバータ３２から出力された交流電圧（１００Ｖ、５０Ｈｚ）は、切替部３４を介してコンセント３へ供給される。このように、コンセント３に電力が供給されることによって、ユーザはソーラーパネル２によって発電した電力を自由に使用することができる。
【００４３】
次に、上述の電源システム搭載型空気調和装置１によるモード決定方法について図７を参照して説明する。図７に示すフローは、所定の制御周期で繰り返し実行される。
【００４４】
上位制御装置からの信号を参照し、上位制御装置から圧縮機２２の運転に係る信号が出力されているか否かを判定する（Ｓ１０１）。そして、上位制御装置から圧縮機２２の運転に係る信号が出力されていない場合（Ｓ１０１のＮＯ判定）には、制御モードとしてコンセントモードを選択する（Ｓ１０２）。
【００４５】
上位制御装置から圧縮機２２の運転に係る信号が出力されている場合（Ｓ１０１のＹＥＳ判定）には、制御モードとして圧縮機モードを選択する（Ｓ１０３）。上記の処理は所定の制御周期で繰り返し実行される。
【００４６】
以上説明したように、本実施形態に係る電源システム搭載型空気調和装置１によれば、ソーラーパネル２で発電した直流電流を、空気調和装置の備えるインバータ３２を介して交流電流へ変換し、該交流電流をコンセント３へ供給することができる。このため、例えば、パワーコンディショナといった非常に高価な装置を用いることなく、ソーラーパネル２によって発電した直流電流を交流電流へ変換することが可能となる。また、ソーラーパネル２によって発電が可能な状態であれば、いつでもコンセント３から電力を得ることができるため、例えば災害時等にも非常用電源として使用することができる。
【００４７】
また、インバータ３２から、切替部３４の切替状態に応じて適切な交流電流を出力することができるため、圧縮機２２またはコンセント３へ接続される機器をより適切に動作させることが可能である。また、圧縮機２２またはコンセント３へ接続される機器には、適切な交流電流が供給されるため、不適切な電力供給による機器の誤動作や故障等を防ぐことができる。
【００４８】
また、ソーラーパネル２を室外機８に設けることとしたため、ソーラーパネル２の取り付け作業を、例えば室外機８の製造段階等で行うことが可能となる。このため、装置全体の製造及び設置を簡便にすることができる。また、ソーラーパネル２とインバータ３２までの配線距離を短くすることができるため、電力の損失を抑制することが可能である。
【００４９】
また、空気調和装置を運転している場合においては、商用電源からの電力だけでなく、ソーラーパネル２によって発電した電力も用いて圧縮機２２を駆動するため、商用電源からの電力消費量を低減することができる。
【００５０】
また、圧縮機２２が動作中であるか否かを判定することとし、判定結果に基づいて、圧縮機２２またはコンセント３に電力供給を行うこととしたため、圧縮機２２が動作していないときには、ソーラーパネル２によって発電した電気をコンセント３から使用可能な状態とすることができる。このため、ソーラーパネル２によって発電した電気をユーザが自由に使用することができる。
【００５１】
本発明は、上述の実施形態のみに限定されるものではなく、発明の要旨を逸脱しない範囲において、種々変形実施が可能である。
【００５２】
例えば、本実施形態では、コンセント３は１つ設ける場合について説明しているが、複数設ける構成としてもよい。また、コンセント３を複数設ける場合には、各コンセント３の形はそれぞれ異なる規格のものとしてもよい。
【符号の説明】
【００５３】
１    ：電源システム搭載型空気調和装置
２    ：ソーラーパネル
３    ：コンセント
５    ：制御装置
６    ：電力供給系統
７    ：室内機
８    ：室外機
９    ：リモコン
２１  ：冷凍サイクル
２２  ：圧縮機
２３  ：凝縮器
２４  ：膨張弁
２５  ：蒸発器
３１  ：コンバータ
３２  ：インバータ
３３  ：昇圧部
３４  ：切替部
４１  ：モード決定部
４２  ：インバータ制御部
４３  ：切替制御部
【図１】
2019124372.tif 000003
【図２】
2019124372.tif 000004
【図３】
2019124372.tif 000005
【図４】
2019124372.tif 000006
【図５】
2019124372.tif 000007
【図６】
2019124372.tif 000008
【図７】
2019124372.tif 000009